【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
トランスクリティカル冷却サイクルの作業流体の超臨界冷却を与えるための熱交換器であって：
互いに実質的に平行に配置された縦軸を有する１組の細長いヘッダー；
前記ヘッダーの前記縦軸に沿って並行関係で間隔を開けて配置された複数の細長い管であって、各管が長辺及び短辺を有する平らな断面を有し、各管が前記ヘッダー間に作業流体を伝えるために、１つの前記ヘッダーに接続した第１端及び他の前記ヘッダーに接続した第２端を有し、各管が前記１つのヘッダーから前記他のヘッダーに対して連続的に少なくとも２つの平行流体経路を通って前記作業流体を流すように、少なくとも２つの管の平行区間を画定するために管自体が折り曲げられており、各管の前記平行区間が前記平行区間の各々の前記長辺が前記ヘッダーの前記縦軸に対して実質的に垂直な共通平面上に配置される状態で、互いに間隔を開けて配置されていることを特徴とする管；及び、
前記管の隣接する組の間に拡張するサーペンタインフィンであって、各フィンが前記隣接する管の前記平行区間に平行に拡張する長さ及び前記隣接する管の少なくとも２つの平行区間の全体にわたって拡張する横幅を有し、各フィンが前記平行区間に平行に拡張する複数の交互になったタブ及び細長い間隙を含み、前記タブ及び前記間隙が各フィンの前記横幅を前記タブによって互いに接続した複数の分離したフィン要素に分割するために前記隣接する管の前記平行区間の間に配置されており、各フィン要素が前記隣接する各管の前記平行区間の１つに対応し、前記平行区間の１つに沿って拡張していることを特徴とするフィンを備える熱交換器。
【請求項２】
前記各管の前記長辺が１２.７ｍｍ以下であり、前記短辺が２.５４ｍｍ以下である請求項１に記載の熱交換器。
【請求項３】
前記各管の前記長辺が８.１３ｍｍ以下であり、前記短辺が１.５２ｍｍ以下である、請求項１に記載の熱交換器。
【請求項４】
前記各管が前記作業流体を１つのヘッダーから他のヘッダーに対して連続的に少なくとも３つの平行流体経路を通って流すように、少なくとも３つの管の平行区間を画定するために少なくとも２回折り曲げられている、請求項１に記載の熱交換器。
【請求項５】
前記各フィンが前記ヘッダーの前記縦軸に平行に、前記管の１つから隣接するもう１つの前記管まで拡張するフィン高を有し、前記管の前記長辺が前記フィン高以下である、請求項１に記載の熱交換器。
【請求項６】
前記管の前記端の前記長辺が、前記管の前記端が前記ヘッダーに接続する部分で前記ヘッダーの前記縦軸に平行に拡張している、請求項１に記載の熱交換器。
【請求項７】
前記フィンの前記間隙が、前記フィンを形成するときにフィン材料の除去を必要としないスリットである、請求項１に記載の熱交換器。
【請求項８】
前記フィンの前記間隙が、前記フィンを形成するときにフィン材料の除去を必要とするスロットである、請求項１に記載の熱交換器。
【請求項９】
広げられた状態の少なくとも１つの前記フィンに対して、前記間隙及び前記タブが前記フィンの長さに平行に拡張する長さを有し、前記間隙の長さの前記タブの長さに対する比が２００から６００である、請求項１に記載の熱交換器。
【請求項１０】
前記管の少なくとも１つが０.３８ｍｍから１.０２ｍｍの流体力学的径を有するマルチポート管である、請求項１に記載の熱交換器。
【請求項１１】
トランスクリティカル冷却サイクルの作業流体の超臨界冷却を与えるための熱交換器であって：
互いに実質的に平行に配置された縦軸を有する１組の細長いヘッダー；
前記ヘッダーの前記縦軸に沿って並行関係で間隔を開けて配置された複数の細長い管であって、各管が長辺及び短辺を有する平らな断面を有し、各管が前記ヘッダー間に作業流体を伝えるために、１つの前記ヘッダーに接続した第１端及び他の前記ヘッダーに接続した第２端を有し、各管が前記１つのヘッダーから前記他のヘッダーに対して連続的に少なくとも２つの平行流体経路を通って前記作業流体を流すように、少なくとも２つの管の平行区間を画定するために管自体が折り曲げられており、各管の前記平行区間が前記平行区間の各々の前記長辺が前記ヘッダーの前記縦軸に対して実質的に垂直な共通平面上に配置されていることを特徴とする管；及び、
前記管の隣接する組の間に拡張するサーペンタインフィンであって、各フィンが前記隣接する管の前記平行区間に平行に拡張する長さ及び前記隣接する管の少なくとも２つの平行区間の全体にわたって拡張する横幅を有し、各フィンが前記平行区間に平行に拡張する複数の交互になったタブ及び細長い間隙を含み、前記タブ及び前記間隙が各フィンの前記横幅を前記タブによって互いに接続した複数の分離したフィン要素に分割するために前記隣接する各管の前記平行区間の間に配置されており、各フィン要素が前記隣接する各管の前記平行区間の１つに対応し、前記平行区間の１つに沿って拡張していることを特徴とするフィンを備える熱交換器。
【請求項１２】
前記各管の前記長辺が１２.７ｍｍ以下であり、前記短辺が２.５４ｍｍ以下である請求項１１に記載の熱交換器。
【請求項１３】
前記各管の前記長辺が８.１３ｍｍ以下であり、前記短辺が１.５２ｍｍ以下である、請求項１１に記載の熱交換器。
【請求項１４】
前記各管が前記作業流体を１つのヘッダーから他のヘッダーに対して連続的に少なくとも３つの平行流体経路を通って流すように、少なくとも３つの管の平行区間を画定するために少なくとも２回折り曲げられている、請求項１１に記載の熱交換器。
【請求項１５】
前記管の前記端の前記長辺が、前記管の前記端が前記ヘッダーに接続する部分で前記ヘッダーの前記縦軸に平行に拡張している、請求項１１に記載の熱交換器。
【請求項１６】
前記フィンの前記間隙が、前記フィンを形成するときにフィン材料の除去を必要としないスリットである、請求項１１に記載の熱交換器。
【請求項１７】
広げられた状態の少なくとも１つの前記フィンに対して、前記間隙及び前記タブが前記フィンの長さに平行に拡張する長さを有し、前記間隙の長さの前記タブの長さに対する比が２００から６００である、請求項１１に記載の熱交換器。
【請求項１８】
トランスクリティカル冷却サイクルの作業流体の超臨界冷却を与えるための熱交換器であって：
互いに実質的に平行に配置された縦軸を有する１組の細長いヘッダー；
前記ヘッダーの前記縦軸に沿って並行関係で間隔を開けて配置された複数の細長い管であって、各管が長辺及び短辺を有する平らな断面を有し、各管の前記長辺が１２.７ｍｍ以下であり、前記短辺が２.５４ｍｍ以下であり、各管が前記ヘッダー間に作業流体を伝えるために、１つの前記ヘッダーに接続した第１端及び他の前記ヘッダーに接続した第２端を有し、各管が前記１つのヘッダーから前記他のヘッダーに対して連続的に少なくとも２つの平行流体経路を通って前記作業流体を流すように、少なくとも２つの管の平行区間を画定するために管自体が折り曲げられており、各管の前記平行区間が前記平行区間の各々の前記長辺が前記ヘッダーの前記縦軸に対して実質的に垂直な共通平面上に配置されていることを特徴とする管；及び、
前記管の隣接する組の間に拡張するサーペンタインフィンであって、各フィンが前記隣接する管の前記平行区間に平行に拡張する長さを有していることを特徴とするフィンを備える熱交換器。
【請求項１９】
トランスクリティカル冷却サイクルの作業流体の超臨界冷却を与えるための熱交換器であって：
互いに実質的に平行に配置された縦軸を有する１組の細長いヘッダー；
前記ヘッダーの前記縦軸に沿って並行関係で間隔を開けて配置された複数の細長い管であって、各管が長辺及び短辺を有する平らな断面を有し、各管が前記ヘッダー間に作業流体を伝えるために、１つの前記ヘッダーに接続した第１端及び他の前記ヘッダーに接続した第２端を有し、各管が前記１つのヘッダーから前記他のヘッダーに対して連続的に少なくとも３つの平行流体経路を通って前記作業流体を流すように、少なくとも３つの管の平行区間を画定するために管自体が少なくとも２回折り曲げられており、各管の前記平行区間が前記平行区間の各々の前記長辺が前記ヘッダーの前記縦軸に対して実質的に垂直な共通平面上に配置されていることを特徴とする管；及び、
前記管の隣接する組の間に拡張するサーペンタインフィンであって、各フィンが前記隣接する管の前記平行区間に平行に拡張する長さを有していることを特徴とするフィンを備える熱交換器。
【請求項２０】
トランスクリティカル冷却サイクルの作業流体の超臨界冷却を与えるための熱交換器であって：
互いに実質的に平行に配置された縦軸を有する１組の細長いヘッダー；
前記ヘッダーの前記縦軸に沿って並行関係で間隔を開けて配置された複数の細長い管であって、各管が長辺及び短辺を有する平らな断面を有し、各管が０.３８ｍｍから１.０２ｍｍの流体力学的径を有するマルチポート管であり、各管が前記ヘッダー間に作業流体を伝えるために、１つの前記ヘッダーに接続した第１端及び他の前記ヘッダーに接続した第２端を有し、各管が前記１つのヘッダーから前記他のヘッダーに対して連続的に少なくとも２つの平行流体経路を通って前記作業流体を流すように、少なくとも２つの管の平行区間を画定するために管自体が折り曲げられており、各管の前記平行区間が前記平行区間の各々の前記長辺が前記ヘッダーの前記縦軸に対して実質的に垂直な共通平面上に配置されていることを特徴とする管；及び、
前記管の隣接する組の間に拡張するサーペンタインフィンであって、各フィンが前記隣接する管の前記平行区間に平行に拡張する長さを有していることを特徴とするフィンを備える熱交換器。